(57)【要約】【課題】施設の予約や各施設への行き先予定の登録を簡易に行うことが可能となる行き先管理システムを提供する。【解決手段】予約用ユーザ端末装置のＣＰＵ３１は、個人ＩＣカード８から個人ＩＤを取得し、また、施設ＩＣカード８から施設ＩＤ取得し、この施設ＩＤと現在時刻とを行き先管理サーバ２に送信する。そして、行き先管理サーバ２のＣＰＵ１１は、当該施設ＩＤに対応する予約が既にある場合には、予約有り情報を予約用ユーザ端末装置４に送信する。また、ＣＰＵ３１は、予約有り情報を受信した場合には、当該施設ＩＤ、個人ＩＤ、現在時刻等から構成される行き先登録情報を行き先管理サーバ２に送信する。そして、行き先管理サーバ２のＣＰＵ１１は、受信した行き先登録情報を当該個人ＩＤに対応する行き先情報として行き先データテーブル９２に記憶する。【選択図】図８
2010055457.tif 000002
【特許請求の範囲】
【請求項１】
ユーザが操作するユーザ端末装置と、ユーザの行き先を表す行き先情報を管理する管理サーバとがネットワークを介して接続される行き先管理システムにおいて、
ユーザを識別するユーザＩＤを含むユーザ情報を記憶したＩＣタグを有するユーザ識別部材と、
施設を識別する施設ＩＤを含む施設情報を記憶したＩＣタグを有する施設識別部材と、
を備え、
前記ユーザ端末装置は、
前記ＩＣタグとＲＦＩＤ通信を行うＩＣタグ通信装置と、
現在の日時に関する日時情報を取得する日時情報取得手段と、
前記ＩＣタグ通信装置を介して前記ユーザ識別部材からユーザ情報と前記施設識別部材から施設情報を取得した場合には、前記日時情報を取得後、該施設情報と該日時情報を含む予約確認情報を前記管理サーバへ送信する予約確認情報送信手段と、
前記管理サーバから前記予約確認情報に含まれる前記施設情報に対応する施設の予約有りを表す予約有り情報を受信した場合には、前記ユーザ情報と前記日時情報とを該施設への行き先登録情報として前記管理サーバへ送信する行き先登録情報送信手段と、
を有し、
前記管理サーバは、
施設の予約情報と該予約された施設の使用目的とを含む施設予約情報を記憶する施設予約情報記憶手段と、
前記予約確認情報を受信した場合には、前記施設予約情報と該予約確認情報に含まれる前記施設情報と前記日時情報とに基づいて、該施設情報に含まれる施設ＩＤに対応する施設について該日時情報に対応する予約が有るか否かを判定する施設予約判定手段と、
前記施設予約判定手段を介して該施設情報に含まれる施設ＩＤに対応する施設について該日時情報に対応する予約が有ると判定した場合には、前記予約有り情報を前記ユーザ端末装置へ送信する予約有り情報送信手段と、
前記行き先登録情報を受信した場合には、該行き先登録情報に対応する前記予約確認情報から予約されている施設を特定すると共に、該行き先登録情報に含まれる前記ユーザ情報に基づいてユーザを特定して、当該特定されたユーザの前記行き先情報として当該特定された施設と該施設に対応する前記使用目的とを記憶するように制御する行き先記憶制御手段と、
を有することを特徴とする行き先管理システム。
【請求項２】
前記ユーザ情報は、ユーザが施設で受けたサービスの履歴情報を含み、
前記ユーザ端末装置は、
現在の気温に関する気温情報を取得する気温情報取得手段と、
前記気温情報と前記サービスの履歴情報に基づいてユーザに提供するサービスを決定するサービス決定手段と、
を有し、
前記行き先登録情報送信手段は、前記行き先登録情報に前記サービス決定手段によって決定されたサービスに関するサービス情報を含めて前記管理サーバへ送信し、
前記行き先記憶制御手段は、該行き先登録情報に含まれる前記サービス情報を前記行き先情報に含めて記憶するように制御することを特徴とする請求項１に記載の行き先管理システム。
【請求項３】
時刻に関する時刻情報を記憶したＩＣタグを有する時刻識別部材を備え、
前記ユーザ端末装置は、
前記管理サーバから前記予約確認情報に含まれる前記施設情報に対応する施設の予約無しを表す予約無し情報を受信した場合には、当該施設の予約開始時刻と予約終了時刻を入力するように報知する報知手段と、
前記ＩＣタグ通信装置を介して前記時刻識別部材から当該施設の予約開始時刻と予約終了時刻に対応する前記時刻情報を取得した場合には、該予約開始時刻と該予約終了時刻と前記ユーザ情報とを当該施設を予約する予約登録情報として前記管理サーバへ送信する予約登録情報送信手段と、
を有し、
前記管理サーバは、
前記施設予約判定手段を介して前記施設情報に含まれる施設ＩＤに対応する施設について該日時情報に対応する予約が無いと判定した場合には、前記予約無し情報を前記ユーザ端末装置へ送信する予約無し情報送信手段と、
前記予約登録情報を受信した場合には、該受信した予約登録情報に含まれる前記予約開始時刻と前記予約終了時刻とを前記予約無し情報に対応する施設の前記施設予約情報として記憶するように制御する施設予約記憶制御手段と、
を有し、
前記行き先記憶制御手段は、該受信した予約登録情報に含まれる前記ユーザ情報に基づいてユーザを特定して、当該特定されたユーザの前記行き先情報として前記予約無し情報に対応する施設を記憶するように制御することを特徴とする請求項１に記載の行き先管理システム。
【請求項４】
施設の使用目的に関する目的情報を記憶したＩＣタグを有する目的識別部材を備え、
前記ユーザ端末装置は、前記ＩＣタグ通信装置を介して前記目的識別部材から前記予約無し情報に対応する施設の使用目的として前記目的情報を取得する目的取得手段を有し、
前記予約登録情報送信手段は、前記予約登録情報に前記目的情報を含めて前記管理サーバへ送信し、
前記施設予約記憶制御手段は、該予約登録情報に含まれる該目的情報を前記施設予約情報に含めて記憶するように制御し、
前記行き先記憶制御手段は、該予約登録情報に含まれる該目的情報を前記行き先情報に含めて記憶するように制御することを特徴とする請求項３に記載の行き先管理システム。
【請求項５】
前記ユーザ情報は、ユーザが施設で受けたサービスの履歴情報を含み、
前記ユーザ端末装置は、
現在の気温に関する気温情報を取得する気温情報取得手段と、
前記気温情報と前記サービスの履歴情報に基づいてユーザに提供するサービスを決定するサービス決定手段と、
を有し、
前記予約登録情報送信手段は、前記予約登録情報に前記サービス決定手段によって決定されたサービスに関するサービス情報を含めて前記管理サーバへ送信し、
前記行き先記憶制御手段は、該予約登録情報に含まれる前記サービス情報を前記行き先情報に含めて記憶するように制御することを特徴とする請求項３又は請求項４に記載の行き先管理システム。
【発明の詳細な説明】
【技術分野】
【０００１】
本発明は、ユーザが操作するユーザ端末装置と、ユーザの行き先を表す行き先情報を管理する管理サーバとがネットワークを介して接続される行き先管理システムに関するものである。
【背景技術】
【０００２】
従来より、ユーザが操作するユーザ端末装置と、ユーザの行き先を表す行き先情報を管理する管理サーバとがネットワークを介して接続される行き先管理システムに関し種々提案されている。
例えば、社内ネットワーク上の端末装置は、各社員が携帯保持するＲＦ−ＩＤカードから送信されるＲＦＩＤを受信検知した場合には、当該受信検知したＲＦＩＤと共に端末ＩＤをテーマ情報管理サーバへ通知する。そして、ファイルサーバにて記憶管理される社員フィルに基づいて、当該端末装置を操作中の社員ＩＤ、社員ＩＤ毎の居場所である端末ＩＤに従った場所名または行き先予定とその予定時間が読み出され、当該端末装置を操作中の社員の居場所または行き先情報が、所属するグループ内の各社員操作中の端末装置に表示されるグループ情報管理表示システムがある（例えば、特許文献１参照。）。
【特許文献１】特開２００７−９４９８８号公報（段落（００２２）〜（００９６）、図１〜図１３）
【発明の開示】
【発明が解決しようとする課題】
【０００３】
しかしながら、上述した特許文献１に記載される構成では、各社員は会議室などの施設の予約を行う場合や、各施設への行き先予定とその予定時間などを管理サーバに登録する場合には、会議室等の各施設の予約状況等を確認して端末装置のキーボード等から手入力する必要があり、手続が煩雑であった。
【０００４】
そこで、本発明は、上述した問題点を解決するためになされたものであり、施設の予約や各施設への行き先予定の登録を簡易に行うことが可能となる行き先管理システムを提供することを目的とする。
【課題を解決するための手段】
【０００５】
前記目的を達成するため請求項１に係る行き先管理システムは、ユーザが操作するユーザ端末装置と、ユーザの行き先を表す行き先情報を管理する管理サーバとがネットワークを介して接続される行き先管理システムにおいて、ユーザを識別するユーザＩＤを含むユーザ情報を記憶したＩＣタグを有するユーザ識別部材と、施設を識別する施設ＩＤを含む施設情報を記憶したＩＣタグを有する施設識別部材と、を備え、前記ユーザ端末装置は、前記ＩＣタグとＲＦＩＤ通信を行うＩＣタグ通信装置と、現在の日時に関する日時情報を取得する日時情報取得手段と、前記ＩＣタグ通信装置を介して前記ユーザ識別部材からユーザ情報と前記施設識別部材から施設情報を取得した場合には、前記日時情報を取得後、該施設情報と該日時情報を含む予約確認情報を前記管理サーバへ送信する予約確認情報送信手段と、前記管理サーバから前記予約確認情報に含まれる前記施設情報に対応する施設の予約有りを表す予約有り情報を受信した場合には、前記ユーザ情報と前記日時情報とを該施設への行き先登録情報として前記管理サーバへ送信する行き先登録情報送信手段と、を有し、前記管理サーバは、施設の予約情報と該予約された施設の使用目的とを含む施設予約情報を記憶する施設予約情報記憶手段と、前記予約確認情報を受信した場合には、前記施設予約情報と該予約確認情報に含まれる前記施設情報と前記日時情報とに基づいて、該施設情報に含まれる施設ＩＤに対応する施設について該日時情報に対応する予約が有るか否かを判定する施設予約判定手段と、前記施設予約判定手段を介して該施設情報に含まれる施設ＩＤに対応する施設について該日時情報に対応する予約が有ると判定した場合には、前記予約有り情報を前記ユーザ端末装置へ送信する予約有り情報送信手段と、前記行き先登録情報を受信した場合には、該行き先登録情報に対応する前記予約確認情報から予約されている施設を特定すると共に、該行き先登録情報に含まれる前記ユーザ情報に基づいてユーザを特定して、当該特定されたユーザの前記行き先情報として当該特定された施設と該施設に対応する前記使用目的とを記憶するように制御する行き先記憶制御手段と、を有することを特徴とする。
【０００６】
また、請求項２に係る行き先管理システムは、請求項１に記載の行き先管理システムにおいて、前記ユーザ情報は、ユーザが施設で受けたサービスの履歴情報を含み、前記ユーザ端末装置は、現在の気温に関する気温情報を取得する気温情報取得手段と、前記気温情報と前記サービスの履歴情報に基づいてユーザに提供するサービスを決定するサービス決定手段と、を有し、前記行き先登録情報送信手段は、前記行き先登録情報に前記サービス決定手段によって決定されたサービスに関するサービス情報を含めて前記管理サーバへ送信し、前記行き先記憶制御手段は、該行き先登録情報に含まれる前記サービス情報を前記行き先情報に含めて記憶するように制御することを特徴とする。
【０００７】
また、請求項３に係る行き先管理システムは、請求項１に記載の行き先管理システムにおいて、時刻に関する時刻情報を記憶したＩＣタグを有する時刻識別部材を備え、前記ユーザ端末装置は、前記管理サーバから前記予約確認情報に含まれる前記施設情報に対応する施設の予約無しを表す予約無し情報を受信した場合には、当該施設の予約開始時刻と予約終了時刻を入力するように報知する報知手段と、前記ＩＣタグ通信装置を介して前記時刻識別部材から当該施設の予約開始時刻と予約終了時刻に対応する前記時刻情報を取得した場合には、該予約開始時刻と該予約終了時刻と前記ユーザ情報とを当該施設を予約する予約登録情報として前記管理サーバへ送信する予約登録情報送信手段と、を有し、前記管理サーバは、前記施設予約判定手段を介して前記施設情報に含まれる施設ＩＤに対応する施設について該日時情報に対応する予約が無いと判定した場合には、前記予約無し情報を前記ユーザ端末装置へ送信する予約無し情報送信手段と、前記予約登録情報を受信した場合には、該受信した予約登録情報に含まれる前記予約開始時刻と前記予約終了時刻とを前記予約無し情報に対応する施設の前記施設予約情報として記憶するように制御する施設予約記憶制御手段と、を有し、前記行き先記憶制御手段は、該受信した予約登録情報に含まれる前記ユーザ情報に基づいてユーザを特定して、当該特定されたユーザの前記行き先情報として前記予約無し情報に対応する施設を記憶するように制御することを特徴とする。
【０００８】
また、請求項４に係る行き先管理システムは、請求項３に記載の行き先管理システムにおいて、施設の使用目的に関する目的情報を記憶したＩＣタグを有する目的識別部材を備え、前記ユーザ端末装置は、前記ＩＣタグ通信装置を介して前記目的識別部材から前記予約無し情報に対応する施設の使用目的として前記目的情報を取得する目的取得手段を有し、前記予約登録情報送信手段は、前記予約登録情報に前記目的情報を含めて前記管理サーバへ送信し、前記施設予約記憶制御手段は、該予約登録情報に含まれる該目的情報を前記施設予約情報に含めて記憶するように制御し、前記行き先記憶制御手段は、該予約登録情報に含まれる該目的情報を前記行き先情報に含めて記憶するように制御することを特徴とする。
【０００９】
更に、請求項５に係る行き先管理システムは、請求項３又は請求項４に記載の行き先管理システムにおいて、前記ユーザ情報は、ユーザが施設で受けたサービスの履歴情報を含み、前記ユーザ端末装置は、現在の気温に関する気温情報を取得する気温情報取得手段と、前記気温情報と前記サービスの履歴情報に基づいてユーザに提供するサービスを決定するサービス決定手段と、を有し、前記予約登録情報送信手段は、前記予約登録情報に前記サービス決定手段によって決定されたサービスに関するサービス情報を含めて前記管理サーバへ送信し、前記行き先記憶制御手段は、該予約登録情報に含まれる前記サービス情報を前記行き先情報に含めて記憶するように制御することを特徴とする。
【発明の効果】
【００１０】
請求項１に係る行き先管理システムでは、ユーザはユーザ識別部材のユーザ情報と施設識別部材の施設情報とをＲＦＩＤ通信装置を介してユーザ端末装置に入力することによって、当該施設情報に対応する施設と該施設の使用目的をユーザの行き先情報として管理サーバに簡易に登録することが可能となる。
【００１１】
また、請求項２に係る行き先管理システムでは、ユーザ識別部材のＩＣタグに格納されたサービスの履歴情報と気温に基づいて、ユーザに提供するサービスに関するサービス情報が、自動的に管理サーバの行き先情報に登録されるため、ユーザは、希望するサービスをキーボード等で手入力する必要が無く、自動的に受け取ることが可能となる。
【００１２】
また、請求項３に係る行き先管理システムでは、施設識別部材の施設情報に対応する施設が予約されていない場合には、時刻識別部材によって予約開始時刻と予約終了時刻とをＲＦＩＤ通信装置を介してユーザ端末装置に入力することによって、当該施設を予約する施設予約情報として管理サーバに簡易に登録することが可能となる。また、当該施設をユーザの行き先情報として管理サーバに簡易に登録することが可能となる。
【００１３】
また、請求項４に係る行き先管理システムでは、目的識別部材の目的情報をＲＦＩＤ通信装置を介してユーザ端末装置に入力することによって、予約した施設の使用目的を施設予約情報に含めて管理サーバに簡易に登録することが可能となる。また、ユーザの行き先情報に当該施設の使用目的を含めて管理サーバに簡易に登録することが可能となる。
【００１４】
更に、請求項５に係る行き先管理システムでは、ユーザ識別部材のＩＣタグに格納されたサービスの履歴情報と気温に基づいて、ユーザに提供するサービスに関するサービス情報が、自動的に管理サーバの行き先情報に登録されるため、ユーザは、希望するサービスをキーボード等で手入力する必要が無く、自動的に受け取ることが可能となる。
【発明を実施するための最良の形態】
【００１５】
以下、本発明に係る行き先管理システムについて具体化した一実施形態に基づき図面を参照しつつ詳細に説明する。
【００１６】
先ず、本実施形態に係る行き先管理システム１の概略構成について図１に基づき説明する。図１は行き先管理システム１の概略構成を示す図である。尚、行き先管理システム１は、例えば、会社のような、複数の人物（ユーザ）が活動する環境で用いられる。
図１に示すように、本実施形態に係る行き先管理システム１は、行き先管理サーバ２、管理者用ユーザ端末装置３、予約用ユーザ端末装置４、行き先表示端末装置５とネットワーク９から基本的に構成されている。そして、行き先管理サーバ２と、管理者用ユーザ端末装置３、予約用ユーザ端末装置４、行き先表示端末装置５とは、ＬＡＮ（Local Area Network）等のネットワーク９を介して各種の情報の送受信が可能となるように構成されている。
【００１７】
また、行き先管理サーバ２、管理者用ユーザ端末装置３、予約用ユーザ端末装置４、行き先表示端末装置５は、所謂パーソナルコンピュータである。この行き先管理サーバ２は、管理部署に設置されている装置である。また、管理者用ユーザ端末装置３、予約用ユーザ端末装置４、行き先表示端末装置５は、当該行き先管理システムを利用するユーザが日々業務を行っているオフィスに設置されている。
【００１８】
また、行き先管理サーバ２は、管理部署に設置される装置であり、一般のユーザが操作するものではない。また、管理者用ユーザ端末装置３は、管理者が使用する端末である。
また、予約用ユーザ端末装置４は、一般のユーザが使用する端末である。また、この予約用ユーザ端末装置４には、ラベル印刷装置６が接続されている。
【００１９】
このラベル印刷装置６は、予約用ユーザ端末装置４から受信した印刷データをテープカートリッジに巻回されたテープに印刷を行うものである。さらに、後述の各種ＩＣカード８（図１１参照）に内蔵されたＩＣタグ８８とＲＦＩＤ（Radio Frequency Identification）通信により交信して、ＩＣタグ８８に記憶されている各種情報を取得し、予約用ユーザ端末装置４に送信することができる。
【００２０】
また、行き先表示端末装置５は、ユーザのグループ（例えば、同じ部署に所属するユーザ、同じ部屋に席があるユーザ、同じフロアに席があるユーザ）ごとに適宜設置される端末である。ここには、当該行き先表示端末装置５に属するユーザの行き先が表示される。
ここで、本実施形態に係る行き先管理システム１では、後述のように行き先管理サーバ２は、予約用ユーザ端末装置４から予約登録された会議室等の施設の予約管理を行うと共に、予約用ユーザ端末装置４から入力されたユーザの行き先を行き先情報として管理し、行き先表示端末装置５等に各ユーザの行き先情報等を配信する。
【００２１】
次に、行き先管理サーバ２の電気的構成について図２に基づいて説明する。図２は、行き先管理サーバ２の電気的構成を示すブロック図である。
図２に示すように、行き先管理サーバ２には、行き先管理サーバ２の全体の制御を行う演算装置及び制御装置としてのＣＰＵ１１が設けられ、ＣＰＵ１１には、各種のデータを一時的に記憶するＲＡＭ１２と、ＢＩＯＳ等を記憶したＲＯＭ１３と、データの受け渡しの仲介を行う入出力（Ｉ／Ｏ）インタフェイス１４と、年月日や時刻を計測するタイマ２０等が接続されている。
【００２２】
また、Ｉ／Ｏインタフェイス１４には、ハードディスク装置１９が接続され、当該ハードディスク装置１９には、施設予約情報記憶エリア１９１と、行き先情報記憶エリア１９２と、ユーザ情報記憶エリア１９３と、プログラム記憶エリア１９４と、その他の情報記憶エリア１９５とが少なくとも設けられている。
【００２３】
尚、施設予約情報記憶エリア１９１には、後述の会議室等の予約状況を記憶する施設予約データテーブル９１（図６参照）が格納される。また、行き先情報記憶エリア１９２には、後述の各ユーザの行き先情報が記憶された行き先データテーブル９２（図７参照）が格納される。また、ユーザ情報記憶エリア１９３には、ユーザに関する情報（少なくとも氏名を含む）がユーザＩＤに対応して記憶されている。
【００２４】
また、プログラム記憶エリア１９４にはＣＰＵ１１で実行されるプログラムが記憶されており、その他の情報記憶エリア１９５には、行き先管理サーバ２で使用される各施設を識別する施設ＩＤ及び施設名、予約用ユーザ端末装置４を識別する端末ＩＤ（例えば、予約用ユーザ端末装置４のＭＡＣアドレスやＩＰアドレス、サブネットマスク、ゲートウェイアドレス等である。）や、その他の情報が記憶されている。
【００２５】
また、Ｉ／Ｏインタフェイス１４には、通信装置１５と、マウスコントローラ１６と、キーコントローラ１７と、ビデオコントローラ１８とが接続され、マウスコントローラ１６にはマウス２１が接続され、キーコントローラ１７にはキーボード２２が接続され、ビデオコントローラ１８にはディスプレイ２３が接続され、通信装置１５はネットワーク９に接続可能となっている。
【００２６】
次に、予約用ユーザ端末装置４の電気的構成について図３に基づいて説明する。図３は、予約用ユーザ端末装置４の電気的構成を示すブロック図である。
図３に示すように、予約用ユーザ端末装置４には、予約用ユーザ端末装置４の全体の制御を行う演算装置及び制御装置としてのＣＰＵ３１が設けられ、ＣＰＵ３１には、各種のデータを一時的に記憶するＲＡＭ３２と、ＢＩＯＳ等を記憶したＲＯＭ３３と、データの受け渡しの仲介を行う入出力（Ｉ／Ｏ）インタフェイス３４と、年月日や時刻を計測するタイマ４０等が接続されている。
【００２７】
また、Ｉ／Ｏインタフェイス３４には、ハードディスク装置３９が接続され、当該ハードディスク装置３９には、プログラム記憶エリア３９１と、その他の情報記憶エリア３９２とが少なくとも設けられている。なお、プログラム記憶エリア３９１には、ＣＰＵ３１が実行する後述の行き先登録処理や施設予約処理等のプログラムが記憶されており、その他の情報記憶エリア３９２には、予約用ユーザ端末装置４を識別する端末ＩＤ（例えば、予約用ユーザ端末装置４のＭＡＣアドレスやＩＰアドレス、サブネットマスク、ゲートウェイアドレス等である。）や、ラベル印刷装置６との通信プロトコル等のその他の情報が記憶されている。
【００２８】
また、Ｉ／Ｏインタフェイス３４には、通信装置３５と、マウスコントローラ３６と、キーコントローラ３７と、ビデオコントローラ３８と、ＵＳＢコントローラ３０と、気温を計測する温度センサ４５とが接続されている。そして、マウスコントローラ３６にはマウス４１が接続され、キーコントローラ３７にはキーボード４２が接続され、ビデオコントローラ３８にはディスプレイ４３が接続され、通信装置３５はネットワーク９に接続可能となっている。そして、ＵＳＢコントローラ３０には、ラベル印刷装置６が接続されている。
【００２９】
次に、ラベル印刷装置６について図４及び図５に基づいて説明する。図４はラベル印刷装置６の全体構成を表す斜視図である。図５はラベル印刷装置６の電気的構成を示すブロック図である。
【００３０】
ここで、ラベル印刷装置６は、印字ヘッド６６１（図５参照）を駆動させ、不図示のテープカートリッジに巻回されたテープに印刷を行うものである。さらに、本ラベル印刷装置６は、ＲＦ通信可能な無線タグ回路素子を備えたラベルが貼付された基材テープが巻回された不図示のテープカートリッジを用いる場合には、ラベルの表面に印刷を行うだけでなく、ラベル内の無線タグ回路素子に情報を書き込むことができる。
【００３１】
そして、情報の書き込まれた無線タグ回路素子を備えたラベルは、所謂「ＩＣタグ」として使用することができる。また、ラベル印刷装置６は、適宜呼出波を出力し、近傍に（例えば、ラベル印刷装置６の上方約５ｃｍ〜１０ｃｍ程度の位置である。）存在するＩＣカード８に内蔵されたＩＣタグ８８とＲＦＩＤ通信を行い、ＩＣタグ８８が返送してくる反射波から情報を取得することもでき、また、ＩＣタグ８８に情報を書き込むこともできる。
【００３２】
先ず、ラベル印刷装置６の機械的構成について図４に基づいて説明する。
図４に示すように、ラベル印刷装置６は、外郭に略六面体（略立方体）形状の装置本体６０１と、この装置本体６０１の上面に開閉可能（又は着脱可能としてもよい）に設けられた開閉蓋６０２とを有している。装置本体６０１の開閉蓋６０２の内側には、不図示のテープカートリッジを収納するテープカートリッジ収納部と、テープに印刷を行う印刷機構と、テープを搬送するテープ搬送機構と、テープを切断する切断機構と、無線タグ回路素子と通信を行うタグ通信部が設けられている。
【００３３】
また、装置本体６０１の前方側（図４における左手前側）に位置する前壁６０３には、テープが排出されるラベル排出口６０５が備えられており、ラベル排出口６０５の下方には、下端が回動可能に支持された前蓋６０６が備えられている。また、前蓋６０６は押部６０４を備えており、この押部６０４を上方より押し込むことで前蓋６０６が前方に開放される。また、前壁６０３の一端部には、ラベル印刷装置６の電源のオン・オフを行う電源キー７４が設けられている。この電源キー７４の下方には、切断機構を操作者の手動操作で駆動させるためのカッタ駆動キー７１が設けられている。
【００３４】
また、開閉蓋６０２は、装置本体６０１の図４における右奥側の端部にて回動可能に軸支され、不図示のバネ等の付勢部材を介して常時開放方向に付勢されている。そして、装置本体６０１の上面に開閉蓋６０２に隣接するように配置された開閉ボタン６０７が押されることにより、開閉蓋６０２と装置本体６０１とのロックが解除され、付勢部材の作用により開放される。
【００３５】
続いて、ラベル印刷装置６の電気的構成について図５に基づいて説明する。なお、図５中に示す矢印は信号の流れの一例を示すものであり、信号の流れ方向を限定するものではない。
【００３６】
図５に示すように、このラベル印刷装置６の制御基板（図示せず）上には、制御回路部６０が形成されている。この制御回路部６０には、ラベル印刷装置６の全体の制御を行う演算装置及び制御装置としてＣＰＵ６１と、このＣＰＵ６１にデータバスを介して接続された入出力インタフェイス７０と、ＣＧＲＯＭ６２と、ＲＯＭ６３と、ＲＡＭ６４とが設けられている。
【００３７】
また、ＣＧＲＯＭ６２には、文字、記号、イラストの印字用ドットパターンが記憶されている。また、ＲＯＭ６３には、ラベル印刷装置６を動作させるための各種制御プログラムや、各種制御プログラムが使用するデータが記憶されている。また、ＲＡＭ６４には、ラベル印刷装置６で使用されるデータが一時的に記憶される。例えば、テープに印刷する印刷データ（例えば、文字、記号、イラスト等である。）や、無線タグ回路素子に記述する情報等が記憶される。
【００３８】
また、ＲＡＭ６４には、印字ヘッド６６１で印字を行う際には、印字ヘッド６６１の各ドットの形成エネルギ量である印加パルス数等が記憶される。また、ＲＡＭ６４には、ＩＣタグ８８から取得された情報や、ＩＣタグ８８に書き込む情報を記憶する記憶エリアも設けられている。
【００３９】
また、入出力インタフェイス７０には、各駆動回路６５〜６９と、カッタ駆動キー７１と、カートリッジセンサ７２と、マークセンサ７３と、電源キー７４と、ＵＳＢコントローラ７５と、送信回路８１と、受信回路８２とが接続されている。この駆動回路６５は、ハーフカッターモータ６５１を駆動し、駆動回路６６は、印字ヘッド６６１を駆動し、駆動回路６７は、搬送用モータ６７１を駆動し、駆動回路６８は、カッターモータ６８１を駆動し、駆動回路６９は、テープ排出モータ６５を駆動する。
【００４０】
また、マークセンサ７３は、基材テープに貼付されているラベルにおける無線タグ回路素子の位置を示す識別マークを検出する。また、カートリッジセンサ７２は、テープカートリッジの装着状態を検出する。また、カッタ駆動キー７１は、テープを切断するためにカッターモータ６８１を駆動させるための指示を受け付けるキーである。また、ＵＳＢコントローラ７５は、予約用ユーザ端末装置４等の外部の機器が接続される。
【００４１】
そして、送信回路８１及び受信回路８２は、アンテナ共用器８３と切替回路８４とを介して取得用ループアンテナ８５及び書込用ループアンテナ８６に接続されている。この切替回路８４は、制御回路部６０からの制御信号に基づき、アンテナ共用器８３に接続する各ループアンテナ８５、８６を切り替える。
【００４２】
また、制御回路部６０は、ＩＣタグ８８から情報を読み取る際には、取得用ループアンテナ８５に接続する制御信号を切替回路８４に出力し、ＩＣタグ８８へ情報を書き込む際には、書込用ループアンテナ８６を接続する制御信号を切替回路８４に出力する。また、送信回路８１は、制御回路部６０からの制御信号に基づき搬送波の変調制御を行い、書込用ループアンテナ８６からＩＣタグ８８へ質問波を出力する。
【００４３】
一方、受信回路８２は、取得用ループアンテナ８５で受信したＩＣタグ８８からの反射波を復調する。そして、制御回路部６０は、復調された信号に基づいてＩＣタグ８８に記憶されている情報を解析し、ＵＳＢコントローラ７５を介して予約用ユーザ端末装置４に出力する。
【００４４】
また、ＵＳＢコントローラ７５に接続された予約用ユーザ端末装置４から、テープへの印刷指示がなされた場合には、ＣＰＵ６１は、印刷する情報（例えば、文字、記号、イラスト等である。）やそのサイズ等をＲＡＭ６４に記憶する。そして、ＣＰＵ６１は、ＣＧＲＯＭ６２から各文字等のドットデータを読み出し、指示された位置・サイズでテープ上に印刷するドットデータを構成し、ＲＡＭ６４の印字バッファに記憶する。
【００４５】
そして、ＣＰＵ６１は、印字バッファのドットデータを１ライン分ずつ読み出し、駆動回路６６を介して印字ヘッド６６１の各発熱素子を１ライン分の印字ドットに対応して選択的に発熱駆動することにより印刷を行う。そして、ＣＰＵ６１は、１ライン分の印刷を行うたびに、駆動回路６７を介して搬送用モータ６７１を駆動して、テープを搬送する。
【００４６】
また、ＵＳＢコントローラ７５に接続された予約用ユーザ端末装置４から、ＩＣタグラベルの作成の指示がなされた場合には、ＣＰＵ６１はＩＣタグに書き込む情報をＲＡＭ６４に記憶する。そして、ＣＰＵ６１は、駆動回路６７を介して搬送用モータ６７１を駆動して、テープを搬送し、マークセンサ７３により識別マークを検知すると、無線タグ回路素子に対して書き込みを行う。
【００４７】
ここで、行き先管理サーバ２の施設予約情報記憶エリア１９１に格納される施設予約データテーブル９１の一例について図６に基づいて説明する。図６は行き先管理サーバ２の施設予約情報記憶エリア１９１に格納される施設予約データテーブル９１の一例を示す図である。
【００４８】
図６に示すように、会議室等の予約状況を記憶する施設予約データテーブル９１は、「場所」、「開始時間」、「終了時間」、「目的」及び「個人」から構成されている。そして、「場所」には、予約されている各会議室Ａ、Ｂ等の施設名が記憶される。尚、「場所」に予約されている施設を識別する施設ＩＤを記憶するようにしてもよい。
また、「開始時間」には、各会議室Ａ、Ｂ等の使用開始時刻が記憶される。また、「終了時間」には、各会議室Ａ、Ｂ等の使用終了時刻が記憶される。
【００４９】
また、「目的」には、各会議室Ａ、Ｂ等の使用目的が記憶される。更に、「個人」には、各会議室Ａ、Ｂ等の施設を予約したユーザの氏名が記憶される。尚、このユーザの氏名は、後述のように予約したユーザを識別するユーザＩＤに対応する氏名をユーザ情報記憶エリア１９３から読み出すことによって、特定される。
【００５０】
また、「場所」の下位データは、「開始時間」、「終了時間」、「目的」及び「個人」となっている。つまり、予約されている各会議室Ａ、Ｂ等の施設毎に、「開始時間」、「終了時間」、「目的」及び「個人」が、各施設の使用開始時刻順に記憶されている。
例えば、図６に示すように、「会議室Ａ」は、「１０：００」〜「１１：００」の間、使用目的は「会議」で、「田中太郎」によって予約され、「１３：００」〜「１４：００」の間、使用目的は「会議」で、「山田花子」によって予約されている旨が記憶されている。
【００５１】
続いて、行き先管理サーバ２の行き先情報記憶エリア１９２に格納される行き先データテーブル９２の一例について図７に基づいて説明する。図７は行き先管理サーバ２の行き先情報記憶エリア１９２に格納される行き先データテーブル９２の一例を示す図である。
【００５２】
図７に示すように、各ユーザの行き先情報が記憶された行き先データテーブル９２は、「個人」、「時間」、「場所」、「目的」及び「飲物」から構成されている。そして、「個人」には、行き先を登録したユーザの氏名が記憶される。また、「時間」には、行き先を登録した時刻が記憶される。また、「場所」には、行き先として登録された各会議室Ａ、Ｂ等の施設名が記憶される。
【００５３】
また、「目的」には、後述のように施設予約データテーブル９１から読み出した当該施設に対応する「目的」が記憶される。また、「飲物」には、後述のようにＩＣタグ８８に記憶された飲物履歴情報と気温とから決定された飲物（例えば、アイスコーヒー等である。）が記憶される。
【００５４】
尚、行き先管理サーバ２のＣＰＵ１１は、各行き先表示端末装置５に対して、当該行き先表示端末装置５に属するユーザの行き先情報を、所定時間毎（例えば、約１０秒毎である。）に行き先データテーブル９２から読み出して配信する。そして、各行き先表示端末装置５は、行き先管理サーバ２から受信した当該行き先表示端末装置５に属するユーザの行き先情報を不図示のディスプレイに表示する。
【００５５】
次に、行き先管理システム１において、ユーザが予約用ユーザ端末装置４を介して行き先情報や施設予約情報を行き先管理サーバ２に登録する際に、予約用ユーザ端末装置４のＣＰＵ３１と、行き先管理サーバ２のＣＰＵ１１とによって実行される「行き先情報及び施設予約情報の登録・更新処理」について図８乃至図１６に基づいて説明する。
【００５６】
図８及び図９は、予約用ユーザ端末装置４のＣＰＵ３１と、行き先管理サーバ２のＣＰＵ１１とによって実行される「行き先情報及び施設予約情報の登録・更新処理」を示すフローチャートである。尚、図８及び図９に示される「行き先情報及び施設予約情報の登録・更新処理」は、ユーザが、予約用ユーザ端末装置４のキーボード４２に設けられた不図示の行き先登録ボタンを押下した場合や、ディスプレイ４３に表示されるメニュー画面から行き先登録メニューをマウス４１等によって選択した場合等に実行される。
【００５７】
先ず、ユーザが既に予約されている会議室等の施設を行き先として登録する際に、予約用ユーザ端末装置４のＣＰＵ３１と、行き先管理サーバ２のＣＰＵ１１とによって実行される行き先情報を登録する処理について図８に基づいて説明する。
【００５８】
［予約用ユーザ端末装置側の処理］
図８に示すように、先ず、ステップ（以下、Ｓと略記する）１１において、予約用ユーザ端末装置４のＣＰＵ３１は、行き先登録情報や施設の予約登録情報の内容を確認することなく、行き先管理サーバ２に自動登録を行うか否かをユーザに問い合わせる質問画面をディスプレイ４３に表示する。そして、ＣＰＵ３１は、自動登録を行うか否かの指示がキーボード４２又はマウス４１を介して入力されるのを待つ（Ｓ１１：ＮＯ）。
【００５９】
その後、ＣＰＵ３１は、自動登録を行うことを指示された場合には（Ｓ１１：ＹＥＳ）、自動登録フラグをＲＡＭ３２から読み出して、「ＯＮ」に設定後、再度ＲＡＭ３２に記憶して、自動登録モードに設定後、Ｓ１２の処理に移行する。一方、ＣＰＵ３１は、自動登録を行わないように指示された場合には（Ｓ１１：ＹＥＳ）、自動登録フラグをＲＡＭ３２から読み出して、「ＯＦＦ」に設定後、再度ＲＡＭ３２に記憶して、確認モードに設定後、Ｓ１２の処理に移行する。尚、予約用ユーザ端末装置４の起動時には、自動登録フラグは、「ＯＦＦ」に設定されてＲＡＭ３２に記憶される。
【００６０】
ここで、ディスプレイ４３に表示された自動登録を行うか否かをユーザに問い合わせる質問画面の一例について図１０に基づいて説明する。図１０はディスプレイ４３に表示された自動登録を行うか否かをユーザに問い合わせる質問画面の一例を示す図である。
図１０に示すように、ＣＰＵ３１は、ディスプレイ４３の略中央部に「自動登録しますか？」とのメッセージを表示すると共に、このメッセージの下側に、自動登録を行うことを指示するＹＥＳボタン１０１と、自動登録を行わないように指示するＮＯボタン１０２とを表示する。そして、ＣＰＵ３１は、いずれかのボタンの上側にポインタ１０３が移動した後、マウス４１がクリックされるのを待つ（Ｓ１１：ＮＯ）。
【００６１】
そして、ＣＰＵ３１は、ＹＥＳボタン１０１の上側にポインタ１０３が移動して、マウス４１がクリックされた場合には（Ｓ１１：ＹＥＳ）、自動登録を行うことを指示されたと判定して、自動登録フラグをＲＡＭ３２から読み出して、「ＯＮ」に設定後、再度ＲＡＭ３２に記憶して、自動登録モードに設定後、Ｓ１２の処理に移行する。一方、ＣＰＵ３１は、ＮＯボタン１０２の上側にポインタ１０３が移動して、マウス４１がクリックされた場合には（Ｓ１１：ＹＥＳ）、自動登録を行わないように指示されたと判定して、自動登録フラグをＲＡＭ３２から読み出して、「ＯＦＦ」に設定後、再度ＲＡＭ３２に記憶して、確認モードに設定後、Ｓ１２の処理に移行する。
【００６２】
続いて、図８に示すように、Ｓ１２において、ＣＰＵ４１は、ユーザがラベル印刷装置６上にかざした個人ＩＣカード８のＩＣタグ８８に記憶されている各ユーザを識別する個人ＩＤと当該ＩＣタグ８８に記憶されている個人ＩＤに対応する氏名と飲物履歴情報（図１２参照）を取得して、ＲＡＭ３２に記憶する。また、ＣＰＵ４１は、ユーザがラベル印刷装置６上にかざした施設ＩＣカード８のＩＣタグ８８に記憶されている会議室等の各施設を識別する施設ＩＤと施設ＩＤに対応する施設名を取得して、ＲＡＭ３２に記憶する。
【００６３】
ここで、各種ＩＣカード８の一例について図１１に基づいて説明する。図１１は各種ＩＣカード８の一例を示す図である。
図１１に示すように、各種ＩＣカード８には、個人ＩＣカード８、施設ＩＣカード８、目的ＩＣカード８、時間ＩＣカード８、飲物ＩＣカード８等がある。また、個人ＩＣカード８には、グループ内の各ユーザＡ〜Ｃの個人ＩＤと各ユーザＡ〜Ｃが会議室等の各施設で飲んだ飲物（例えば、コーヒー、紅茶、日本茶等である。）の飲物履歴情報（図１２参照）と個人ＩＤに対応する個人名（氏名）がＩＣタグ８８にそれぞれ記憶された各個人ＩＣカード８Ａ１〜８Ａ３等がある。
【００６４】
また、施設ＩＣカード８には、各会議室Ａ〜Ｃの施設ＩＤと施設ＩＤに対応する施設名がＩＣタグ８８にそれぞれ記憶された各施設ＩＣカード８Ｂ１〜８Ｂ３等がある。また、目的ＩＣカード８には、施設利用目的として会議、来客の応接、講習がＩＣタグ８８にそれぞれ記憶された各目的ＩＣカード８Ｃ１〜８Ｃ３等がある。また、時間ＩＣカード８には、８：００〜２０：００の１時間毎の時刻、例えば、１３：００、１４：００、１５：００の時刻がＩＣタグ８８に記憶された各時間ＩＣカード８Ｄ１〜８Ｄ３等がある。
【００６５】
また、飲物ＩＣカード８には、コーヒー、紅茶、日本茶がＩＣタグ８８に記憶された各飲物ＩＣカード８Ｅ１〜８Ｅ３等がある。
従って、例えば、個人ＩＣカード８Ａ１と施設ＩＣカード８Ｂ１とがラベル印刷装置６上にかざされた場合には、ＣＰＵ３１は、ユーザＡの個人ＩＤ、個人ＩＤに対応する個人名（氏名）、当該ユーザＡが会議室等の各施設で飲んだ飲物の飲物履歴情報（図１２参照）と、会議室Ａの施設ＩＤと、この施設ＩＤに対応する施設名を取得する。
【００６６】
また、個人ＩＣカード８のＩＣタグ８８に記憶されている飲物履歴情報の一例について図１２に基づいて説明する。図１２は個人ＩＣカード８のＩＣタグ８８に記憶される飲物履歴情報の一例を示す図である。
図１２に示すように、個人ＩＣカード８のＩＣタグ８８に記憶されている飲物履歴情報９３は、各飲物の種類と、それぞれの会議室等の施設利用時に飲んだ回数とから構成されている。また、飲んだ回数の多い順に各飲物の種類がソートされている。例えば、コーヒーは１０回、紅茶は３回、日本茶は２回、水は１回飲んだ履歴が記憶されている。尚、各飲物の種類毎に、最も最近に飲んだ日時も記憶するようにしてもよい。
【００６７】
続いて、図８に示すように、Ｓ１３において、ＣＰＵ３１は、タイマ４０から現在の年月日と時刻を取得してＲＡＭ３２に記憶する。
そして、Ｓ１４において、ＣＰＵ３１は、ＲＡＭ３２から上記Ｓ１２で記憶した「施設ＩＤ」と、上記Ｓ１３で記憶した「現在の時刻」とを読み出し、当該予約用ユーザ端末装置４を識別する「端末ＩＤ」と「施設ＩＤ」と「現在の時刻」とから構成される「予約確認情報」を行き先管理サーバ２にネットワーク９を介して送信後、後述のＳ１５の処理に移行する。
【００６８】
［行き先管理サーバ側の処理］
一方、図８に示すように、行き先管理サーバ２のＣＰＵ１１は、Ｓ１１１において、ネットワーク９を介して予約用ユーザ端末装置４から受信した「予約確認情報」を構成する「端末ＩＤ」、「施設ＩＤ」及び「現在の時刻」をＲＡＭ１２に記憶する。
【００６９】
続いて、Ｓ１１２において、ＣＰＵ１１は、予約用ユーザ端末装置４から受信した「施設ＩＤ」と「現在時刻」をＲＡＭ１２から読み出し、施設予約情報記憶エリア１９１に格納される施設予約データテーブル９１の「場所」に当該「施設ＩＤ」に対応する施設名が記憶されており、且つ、施設予約データテーブル９１の「開始時刻」に当該「現在時刻」から所定時間以内（例えば、前後約１５分以内である。）の時刻が記憶されているか否かを判定する判定処理を実行する。つまり、ＣＰＵ１１は、当該「現在時刻」に一番近い当該「施設ＩＤ」に対応する施設の予約があるか否かを判定する判定処理を実行する。
【００７０】
そして、施設予約データテーブル９１の「場所」に当該「施設ＩＤ」に対応する施設名が記憶されていない場合、若しくは、施設予約データテーブル９１の「場所」に当該「施設ＩＤ」に対応する施設名が記憶されているが、施設予約データテーブル９１の「開始時刻」に当該「現在時刻」から所定時間以内の時刻が記憶されていない場合には（Ｓ１１２：ＮＯ）、ＣＰＵ１１は、図９に示すように、後述のＳ１１８の処理に移行する。つまり、当該「現在時刻」に一番近い当該「施設ＩＤ」に対応する施設の予約が無い場合には（Ｓ１１２：ＮＯ）、ＣＰＵ１１は、後述のＳ１１８の処理に移行する。
【００７１】
一方、施設予約データテーブル９１の「場所」に当該「施設ＩＤ」に対応する施設名が記憶されており、且つ、施設予約データテーブル９１の「開始時刻」に当該「現在時刻」から所定時間以内の時刻が記憶されている場合には（Ｓ１１２：ＹＥＳ）、ＣＰＵ１１は、Ｓ１１３の処理に移行する。つまり、当該「現在時刻」に一番近い当該「施設ＩＤ」に対応する施設の予約がある場合には（Ｓ１１２：ＹＥＳ）、ＣＰＵ１１は、Ｓ１１３の処理に移行する。
【００７２】
Ｓ１１３において、ＣＰＵ１１は、施設予約データテーブル９１の「場所」が当該「施設ＩＤ」に対応する施設名で、「開始時刻」が当該「現在時刻」から所定時間以内の時刻である予約情報から「目的」を読み出して、ＲＡＭ１２に記憶する。そして、ＣＰＵ１１は、ＲＡＭ１２から「端末ＩＤ」と、この「目的」とを読み出し、当該「端末ＩＤ」に対応する予約用ユーザ端末装置４に対して、当該「施設ＩＤ」に対応する施設の予約ある旨と、この施設の使用目的である「目的」とから構成される「予約有り情報」をネットワーク９を介して送信後、後述のＳ１１４の処理に移行する。
【００７３】
［予約用ユーザ端末装置側の処理］
他方、図８に示すように、予約用ユーザ端末装置４のＣＰＵ３１は、Ｓ１５において、上記Ｓ１４において「予約確認情報」を送信後、行き先管理サーバ２からネットワーク９を介して「予約有り情報」を所定時間内（例えば、約３０秒以内である。）に受信したか否かを判定する判定処理を実行する。
【００７４】
そして、行き先管理サーバ２から「予約有り情報」を所定時間内（例えば、約３０秒以内である。）に受信しなかった場合には（Ｓ１５：ＮＯ）、ＣＰＵ３１は、図９に示すように、後述のＳ２１の処理に移行する。
一方、行き先管理サーバ２から「予約有り情報」を所定時間内（例えば、約３０秒以内である。）に受信した場合には（Ｓ１５：ＹＥＳ）、ＣＰＵ３１は、この「予約有り情報」を構成する施設の使用目的である「目的」をＲＡＭ３２に記憶後、Ｓ１６の処理に移行する。
【００７５】
Ｓ１６において、ＣＰＵ３１は、温度センサ４５を介して気温を検出して、ＲＡＭ３２に記憶する。
そして、Ｓ１７において、ＣＰＵ３１は、上記Ｓ１２でＲＡＭ３２に記憶した飲物履歴情報から、飲んだ回数の最も多い飲物を読み出して、注文する飲物として決定すると共に、上記Ｓ１６でＲＡＭ３２に記憶した気温に基づいて注文する飲物をホットにするかアイスにするか、つまり、熱い飲物（例えば、ホットティーである。）にするか冷たい飲物（例えば、アイスティーである。）にするかを決定してＲＡＭ３２に記憶する。尚、ＣＰＵ３１は、気温が約２５℃以上の場合には、アイスを選択し、２５℃未満の場合には、ホットを選択する。
【００７６】
例えば、図１２に示す飲物履歴情報９３をＲＡＭ３２に記憶しており、温度センサ４５の検出した気温が２８℃の場合には、ＣＰＵ３１は、「冷たいコーヒー」、つまり、「アイスコーヒー」を注文する飲物として決定し、ＲＡＭ３２に記憶する。また、図１２に示す飲物履歴情報９３をＲＡＭ３２に記憶しており、温度センサ４５の検出した気温が２０℃の場合には、ＣＰＵ３１は、「熱いコーヒー」、つまり、「ホットコーヒー」を注文する飲物として決定し、ＲＡＭ３２に記憶する。
【００７７】
続いて、Ｓ１８において、ＣＰＵ３１は、ＲＡＭ３２から自動登録フラグを読み出し、「ＯＮ」に設定されているか否か、つまり、自動登録モードに設定されているか否かを判定する判定処理を実行する。
そして、ＲＡＭ３２から読み出した自動登録フラグが「ＯＮ」に設定されている場合、つまり、自答登録モードに設定されている場合には（Ｓ１８：ＹＥＳ）、ＣＰＵ３１は、後述のＳ２０の処理に移行する。
【００７８】
一方、ＲＡＭ３２から読み出した自動登録フラグが「ＯＦＦ」に設定されている場合、つまり、確認モードに設定されている場合には（Ｓ１８：ＮＯ）、ＣＰＵ３１は、Ｓ１９の処理に移行する。
Ｓ１９において、ＣＰＵ３１は、上記Ｓ１２でＲＡＭ３２に記憶したユーザを識別する個人ＩＤに対応する氏名と、当該施設ＩＤに対応する施設名と、上記Ｓ１５において、ＲＡＭ３２に記憶した当該施設の使用目的である「目的」と、上記Ｓ１７において、ＲＡＭ３２に記憶した注文する飲物とを読み出し、これらを行き先情報として行き先管理サーバ２に登録することの確認を行う確認画面をディスプレイ４３に表示する。
【００７９】
その後、Ｓ１９において、ＣＰＵ３１は、この行き先情報を行き先管理サーバ２に登録することを指示する登録指示がマウス４１又はキーボード４２を介して入力されるのを待つ（Ｓ１９：ＮＯ）。そして、マウス４１又はキーボード４２を介して登録指示が入力された場合には（Ｓ１９：ＹＥＳ）、ＣＰＵ３１は、Ｓ２０の処理に移行する。
【００８０】
ここで、行き先情報の確認を行う確認画面の一例を図１３に基づいて説明する。図１３は行き先情報の登録確認時に表示される確認画面の一例を示す図である。
図１３に示すように、ＣＰＵ３１は、ディスプレイ４３の上端中央部に「行き先情報登録確認」とのメッセージを表示すると共に、その下側に、上記Ｓ１２でＲＡＭ３２に記憶したユーザの個人ＩＤと氏名を表す「個人ＩＤ」と、行き先の施設名を表す「行き先」と、上記Ｓ１５でＲＡＭ３２に記憶した当該施設の使用目的を表す「目的」と、上記Ｓ１７でＲＡＭ３２に記憶した当該ユーザの注文する飲物を表す「飲物」とを順次表示する。更に、ＣＰＵ３１は、その下側に、当該行き先情報を行き先管理サーバ２に登録することを指示する登録ボタン１０４を表示する。
【００８１】
また、ＣＰＵ３１は、登録ボタン１０４の上側にポインタ１０３が移動した後、マウス４１がクリックされるのを待つ（Ｓ１９：ＮＯ）。そして、ＣＰＵ３１は、登録ボタン１０４の上側にポインタ１０３が移動して、マウス４１がクリックされた場合には（Ｓ１９：ＹＥＳ）、登録指示が入力されたと判定して、Ｓ２０の処理に移行する。
【００８２】
続いて、図８に示すように、Ｓ２０において、ＣＰＵ３１は、タイマ４０から現在の時刻を取得してＲＡＭ３２に記憶する。そして、ＣＰＵ３１は、この現在時刻と、上記Ｓ１２でＲＡＭ３２に記憶したユーザの個人ＩＤ及び施設ＩＤと、上記Ｓ１７でＲＡＭ３２に記憶した当該ユーザの注文する飲物（例えば、アイスティーである。）とから構成される行き先登録情報を行き先管理サーバ２にネットワーク９を介して送信後、当該処理を終了する。
【００８３】
［行き先管理サーバ側の処理］
一方、図８に示すように、行き先管理サーバ２のＣＰＵ１１は、Ｓ１１４において、予約用ユーザ端末装置４からネットワーク９を介して行き先登録情報を受信するのを待つ（Ｓ１１４：ＮＯ）。
そして、ＣＰＵ１１は、予約用ユーザ端末装置４からネットワーク９を介して行き先登録情報を受信した場合には（Ｓ１１４：ＹＥＳ）、現在時刻、個人ＩＤ、施設ＩＤ及び注文する飲物から構成される行き先登録情報をＲＡＭ１２に記憶後、Ｓ１１５の処理に移行する。
【００８４】
Ｓ１１５において、ＣＰＵ１１は、当該行き先登録情報を構成する「施設ＩＤ」と「現在時刻」をＲＡＭ１２から読み出し、施設予約データテーブル９１から当該「現在時刻」に一番近い当該「施設ＩＤ」に対応する施設の使用目的である「目的」を読み出してＲＡＭ１２に記憶する。また、ＣＰＵ１１は、当該「施設ＩＤ」に対応する施設名をその他の情報記憶エリア１９５から読み出してＲＡＭ１２に記憶する。
【００８５】
そして、Ｓ１１６において、ＣＰＵ１１は、上記Ｓ１１４でＲＡＭ１２に記憶した個人ＩＤに対応する氏名をユーザ情報記憶エリア１９３から読み出してＲＡＭ１２に記憶する。そして、ＣＰＵ１１は、この「氏名」と、上記Ｓ１１４でＲＡＭ１２に記憶した「現在時刻」と、上記Ｓ１１５でＲＡＭ１２に記憶した「施設名」及び「目的」と、上記Ｓ１１４でＲＡＭ１２に記憶した「飲物」とを再度、ＲＡＭ１２から読み出し、当該「氏名」に対応するユーザの「行き先情報」として行き先データテーブル９２に記憶する。
【００８６】
具体的には、ＣＰＵ１１は、この「氏名」、「現在時刻」、「施設名」、「目的」及び「飲物」を、それぞれ行き先データテーブル９２の「個人」、「時間」、「場所」、「目的」及び「飲物」に順次登録する。
尚、ＣＰＵ１１は、行き先データテーブル９２を更新した場合には、当該個人ＩＤで特定されるユーザの属するグループ（例えば、同じ部署に所属するユーザ、同じ部屋に席があるユーザ、同じフロアに席があるユーザ）に対して配置された行き先表示端末装置５へ当該更新情報を配信する。
【００８７】
その後、Ｓ１１７において、ＣＰＵ１１は、上記Ｓ１１４でＲＡＭ１２に記憶した「施設ＩＤ」と「飲物」（例えば、アイスティーである。）を再度読み出す。そして、ＣＰＵ１１は、当該「施設ＩＤ」と「飲物」の情報を、会議室等の施設へ飲物等を配送する部署に設置された不図示の端末装置へ配信し、行き先情報を登録したユーザの飲物が当該施設ＩＤに対応する施設へ配送されるように手配した後、当該処理を終了する。
【００８８】
他方、上記Ｓ１１２で、会議室等の施設が予約されていなかった場合に（Ｓ１１２：ＮＯ）、予約用ユーザ端末装置４のＣＰＵ３１と、行き先管理サーバ２のＣＰＵ１１とによって実行される施設予約情報を登録する処理について図９に基づいて説明する。
【００８９】
［行き先管理サーバ側の処理］
図９に示すように、先ず、Ｓ１１８において、行き先管理サーバ２のＣＰＵ１１は、上記Ｓ１１１で記憶した「端末ＩＤ」と「施設ＩＤ」をＲＡＭ１２から読み出し、当該「端末ＩＤ」に対応する予約用ユーザ端末装置４に対して、当該「施設ＩＤ」に対応する施設の予約が無い旨を表す「予約無し情報」をネットワーク９を介して送信後、後述のＳ１１９の処理に移行する。
【００９０】
［予約用ユーザ端末装置側の処理］
一方、図９に示すように、Ｓ２１において、予約用ユーザ端末装置４のＣＰＵ３１は、行き先管理サーバ２から送信された「予約無し情報」の受信を待つ（Ｓ２１：ＮＯ）。そして、ＣＰＵ３１は、「予約無し情報」を受信した場合には（Ｓ２１：ＹＥＳ）、Ｓ２２の処理に移行する。
【００９１】
Ｓ２２において、ＣＰＵ３１は、上記Ｓ１２でＲＡＭ３２に記憶した施設ＩＤを読み出し、当該施設ＩＤに対応する施設名をその他の情報記憶エリア３９２から読み出す。そして、ＣＰＵ３１は、当該施設名の会議室等の施設を予約登録するために必要な使用目的、使用開始時間、使用終了時間の予約情報を、目的ＩＣカード８や時間ＩＣカード８（図１１参照）を使用して入力するための施設予約用ダイアログボックスをディスプレイ４３に表示する。
【００９２】
ここで、ディスプレイ４３に表示される施設予約用ダイアログボックスの一例について図１４に基づいて説明する。図１４は施設予約用ダイアログボックスの一例を示す図である。
図１４に示すように、ＣＰＵ３１は、施設予約用ダイアログボックス１０６の上端中央部に「会議室登録情報」とのメッセージを表示すると共に、その下側に、上記Ｓ１２でＲＡＭ３２に記憶した施設ＩＤに対応する施設名である「会議室Ａ」を表示する。
【００９３】
更に、ＣＰＵ３１は、その下側に、当該施設の使用目的を表す「目的：」を表示すると共に、使用目的を入力する入力ボックス１０７を表示する。また、ＣＰＵ３１は、その下側に、当該施設の使用開始時間を表す「開始時間：」を表示すると共に、使用開始時間を入力する入力ボックス１０８を表示する。また、ＣＰＵ３１は、その下側に、当該施設の使用終了時間を表す「終了時間：」を表示すると共に、使用終了時間を入力する入力ボックス１０９を表示する。
【００９４】
更に、ＣＰＵ３１は、その下側に「入力して下さい」とのメッセージを表示すると共に、入力ボックス１０７にカーソル１１０を点滅表示して、ユーザに目的ＩＣカード８、時間ＩＣカード８（図１１参照）を使用して、使用目的から順番に各データを入力することを促す。
【００９５】
続いて、図９に示すように、Ｓ２３において、ＣＰＵ３１は、ユーザがラベル印刷装置６上にかざした目的ＩＣカード８のＩＣタグ８８に記憶されている施設使用目的を取得して「使用目的」としてＲＡＭ３２に記憶すると共に、施設予約用ダイアログボックスに「使用目的」として表示する。また、ＣＰＵ３１は、ユーザがラベル印刷装置６上にかざした時間ＩＣカード８のＩＣタグ８８に記憶されている時刻を取得して「使用開始時間」としてＲＡＭ３２に記憶すると共に、施設予約用ダイアログボックスに「使用開始時間」として表示する。更に、ＣＰＵ３１は、ユーザがラベル印刷装置６上にかざした次の時間ＩＣカード８のＩＣタグ８８に記憶されている時刻を取得して「使用終了時間」としてＲＡＭ３２に記憶すると共に、施設予約用ダイアログボックスに「使用終了時間」として表示する。
【００９６】
そして、Ｓ２４において、ＣＰＵ４１は、当該「使用目的」、「使用開始時間」及び「使用終了時間」を施設予約情報として行き先管理サーバ２に登録することの確認を行う確認画面をディスプレイ４３に表示する。具体的には、ＣＰＵ４１は、当該施設予約用ダイアログボックスの下端部に登録ボタンを表示する。
【００９７】
その後、Ｓ２５において、ＣＰＵ３１は、この施設予約情報を行き先管理サーバ２に登録することを指示する登録指示として登録ボタンがマウス４１によってクリックされるのを待つ（Ｓ２５：ＮＯ）。そして、マウス４１によって登録ボタンがクリックされた場合、つまり、登録指示が入力された場合には（Ｓ２５：ＹＥＳ）、ＣＰＵ３１は、Ｓ２６の処理に移行する。
【００９８】
ここで、施設予約情報の確認時に表示される施設予約用ダイアログボックスの一例を図１５に基づいて説明する。図１５は施設予約情報の登録確認時に表示される施設予約用ダイアログボックスの一例を示す図である。
尚、図１５に示すように、上記Ｓ２３において、ユーザはラベル印刷装置６の上側に、施設利用目的として「会議」がＩＣタグ８８に記憶された目的ＩＣカード８Ｃ１と、「１３：００」の時刻がＩＣタグ８８に記憶された時間ＩＣカード８Ｄ１と、「１４：００」の時刻がＩＣタグ８８に記憶された時間ＩＣカード８Ｄ２とを順次かざした場合について説明する。
【００９９】
図１５に示すように、ＣＰＵ３１は、施設予約用ダイアログボックス１０６の上端中央部に「会議室登録情報」とのメッセージを表示すると共に、その下側に、上記Ｓ１２でＲＡＭ３２に記憶した施設ＩＤに対応する「施設名」を表示する。また、ＣＰＵ３１は、その下側の入力ボックス１０７に、目的ＩＣカード８Ｃ１のＩＣタグ８８に記憶された「会議」を表示する。また、ＣＰＵ３１は、その下側の入力ボックス１０８に、時間ＩＣカード８Ｄ１のＩＣタグ８８に記憶された「１３：００」の時刻を表示する。また、ＣＰＵ３１は、その下側の入力ボックス１０９に、時間ＩＣカード８Ｄ２のＩＣタグ８８に記憶された「１４：００」の時刻を表示する。更に、ＣＰＵ３１は、その下側に、当該施設予約情報を行き先管理サーバ２に登録することを指示する登録ボタン１１２を表示する。
【０１００】
また、ＣＰＵ３１は、登録ボタン１１２の上側にポインタ１０３が移動した後、マウス４１がクリックされるのを待つ（Ｓ２５：ＮＯ）。そして、ＣＰＵ３１は、登録ボタン１１２の上側にポインタ１０３が移動して、マウス４１がクリックされた場合には（Ｓ２５：ＹＥＳ）、登録指示が入力されたと判定して、Ｓ２６の処理に移行する。
【０１０１】
そして、図９に示すように、ＣＰＵ３１は、Ｓ２６及びＳ２７において、上記Ｓ１６及びＳ１７の処理を実行する。
続いて、Ｓ２８において、ＣＰＵ３１は、ＲＡＭ３２から自動登録フラグを読み出し、「ＯＮ」に設定されているか否か、つまり、自動登録モードに設定されているか否かを判定する判定処理を実行する。
【０１０２】
そして、ＲＡＭ３２から読み出した自動登録フラグが「ＯＮ」に設定されている場合、つまり、自答登録モードに設定されている場合には（Ｓ２８：ＹＥＳ）、ＣＰＵ３１は、後述のＳ３０の処理に移行する。
一方、ＲＡＭ３２から読み出した自動登録フラグが「ＯＦＦ」に設定されている場合、つまり、確認モードに設定されている場合には（Ｓ２８：ＮＯ）、ＣＰＵ３１は、Ｓ２９の処理に移行する。
【０１０３】
Ｓ２９において、ＣＰＵ３１は、上記Ｓ１２でＲＡＭ３２に記憶したユーザを識別する個人ＩＤに対応する氏名と、施設ＩＤに対応する施設名と、上記Ｓ２３において、ＲＡＭ３２に記憶した当該施設の使用目的である「目的」と、上記Ｓ２７において、ＲＡＭ３２に記憶した注文する飲物とを読み出し、これらを行き先情報として行き先管理サーバ２に登録することの確認を行う確認画面をディスプレイ４３に表示する。
【０１０４】
その後、Ｓ２９において、ＣＰＵ３１は、この行き先情報を行き先管理サーバ２に登録することを指示する登録指示がマウス４１又はキーボード４２を介して入力されるのを待つ（Ｓ２９：ＮＯ）。そして、マウス４１又はキーボード４２を介して登録指示が入力された場合には（Ｓ２９：ＹＥＳ）、ＣＰＵ３１は、Ｓ３０の処理に移行する。
【０１０５】
ここで、行き先情報の確認を行う確認画面の一例を図１６に基づいて説明する。図１６は行き先情報の確認時に表示される確認画面の一例を示す図である。
図１６に示すように、ＣＰＵ３１は、ディスプレイ４３の上端中央部に「行き先情報登録確認」とのメッセージを表示すると共に、その下側に、上記Ｓ１２でＲＡＭ３２に記憶したユーザの個人ＩＤと氏名を表す「個人ＩＤ」と、行き先の施設名を表す「行き先」と、上記Ｓ２３でＲＡＭ３２に記憶した当該施設の使用目的を表す「目的」と、上記Ｓ２７でＲＡＭ３２に記憶した当該ユーザの注文する飲物を表す「飲物」とを順次表示する。更に、ＣＰＵ３１は、その下側に、当該行き先情報を行き先管理サーバ２に登録することを指示する登録ボタン１１５を表示する。
【０１０６】
また、ＣＰＵ３１は、登録ボタン１１５の上側にポインタ１０３が移動した後、マウス４１がクリックされるのを待つ（Ｓ２９：ＮＯ）。そして、ＣＰＵ３１は、登録ボタン１１５の上側にポインタ１０３が移動して、マウス４１がクリックされた場合には（Ｓ２９：ＹＥＳ）、登録指示が入力されたと判定して、Ｓ３０の処理に移行する。
【０１０７】
続いて、図９に示すように、Ｓ３０において、ＣＰＵ３１は、タイマ４０から現在の時刻を取得してＲＡＭ３２に記憶する。そして、ＣＰＵ３１は、この現在時刻と、上記Ｓ１２でＲＡＭ３２に記憶したユーザの個人ＩＤ及び施設ＩＤと、上記Ｓ２３でＲＡＭ３２に記憶した「使用目的」、「使用開始時間」及び「使用終了時間」と、上記Ｓ２７でＲＡＭ３２に記憶した当該ユーザの注文する飲物（例えば、アイスティーである。）とから構成される予約登録情報を行き先管理サーバ２にネットワーク９を介して送信後、当該処理を終了する。
【０１０８】
［行き先管理サーバ側の処理］
一方、図９に示すように、行き先管理サーバ２のＣＰＵ１１は、Ｓ１１９において、予約用ユーザ端末装置４からネットワーク９を介して予約登録情報を受信するのを待つ（Ｓ１１９：ＮＯ）。
そして、ＣＰＵ１１は、予約用ユーザ端末装置４からネットワーク９を介して予約登録情報を受信した場合には（Ｓ１１９：ＹＥＳ）、現在時刻、個人ＩＤ、施設ＩＤ、使用目的、使用開始時間、使用終了時間及び注文する飲物から構成される予約登録情報をＲＡＭ１２に記憶後、Ｓ１２０の処理に移行する。
【０１０９】
Ｓ１２０において、ＣＰＵ１１は、当該予約登録情報を構成する「施設ＩＤ」、「使用開始時間」、「使用終了時間」、「使用目的」及び「個人ＩＤ」を読み出し、当該施設ＩＤに対応する施設予約情報として施設予約データテーブル９１に記憶する。
具体的には、施設予約データテーブル９１の「場所」に当該予約登録情報を構成する「施設ＩＤ」に対応する施設が記憶されている場合には、施設予約データテーブル９１の当該「施設ＩＤ」に対応する「場所」の下位データである「開始時間」、「終了時間」、「目的」、「個人」に、当該予約登録情報を構成する「使用開始時間」、「使用終了時間」、「使用目的」及び「個人ＩＤ」を順次登録する。
【０１１０】
また、施設予約データテーブル９１の「場所」に当該予約登録情報を構成する「施設ＩＤ」に対応する施設が記憶されていない場合には、施設予約データテーブル９１の「場所」、「開始時間」、「終了時間」、「目的」、「個人」に、当該予約登録情報を構成する「施設ＩＤ」「使用開始時間」、「使用終了時間」、「使用目的」及び「個人ＩＤ」を順次登録する。
【０１１１】
尚、ＣＰＵ１１は、当該予約登録情報を構成する「施設ＩＤ」に対応する施設名をその他の情報記憶エリア１９５から読み出し、また、当該予約登録情報を構成する「個人ＩＤ」に対応する氏名をユーザ情報記憶エリア１９３から読み出す。そして、図６に示すように、施設予約データテーブル９１の「場所」に当該「施設ＩＤ」に対応する施設名を記憶し、施設予約データテーブル９１の「個人」に当該「個人ＩＤ」に対応する氏名を記憶するようにしてもよい。
【０１１２】
そして、Ｓ１２１において、ＣＰＵ１１は、当該予約登録情報を構成する「施設ＩＤ」に対応する施設名をその他の情報記憶エリア１９５から読み出してＲＡＭ１２に記憶する。また、ＣＰＵ１１は、当該予約登録情報を構成する「個人ＩＤ」に対応する氏名をその他の情報記憶エリア１９５から読み出してＲＡＭ１２に記憶する。その後、ＣＰＵ１１は、当該予約登録情報の「個人ＩＤ」に対応する「氏名」と、当該予約登録情報の「現在時刻」と、当該予約登録情報の「施設ＩＤ」に対応する「施設名」と、当該予約登録情報の「使用目的」及び「飲物」を再度、ＲＡＭ１２から読み出し、当該「氏名」に対応するユーザの「行き先情報」として行き先データテーブル９２に記憶する。
【０１１３】
具体的には、ＣＰＵ１１は、この「氏名」、「現在時刻」、「施設名」、「目的」及び「飲物」を、それぞれ行き先データテーブル９２の「個人」、「時間」、「場所」、「目的」及び「飲物」に順次登録する。
尚、ＣＰＵ１１は、行き先データテーブル９２を更新した場合には、当該個人ＩＤで特定されるユーザの属するグループ（例えば、同じ部署に所属するユーザ、同じ部屋に席があるユーザ、同じフロアに席があるユーザ）に対して配置された行き先表示端末装置５へ当該更新情報を配信する。
【０１１４】
その後、Ｓ１２２において、ＣＰＵ１１は、上記Ｓ１１９でＲＡＭ１２に記憶した「施設ＩＤ」と「飲物」（例えば、アイスティーである。）を再度読み出す。そして、ＣＰＵ１１は、当該「施設ＩＤ」と「飲物」の情報を、会議室等の施設へ飲物等を配送する部署に設置された不図示の端末装置へ配信し、行き先情報を登録したユーザの飲物が当該施設ＩＤに対応する施設へ配送されるように手配した後、当該処理を終了する。
【０１１５】
ここで、予約用ユーザ端末装置４は、ユーザ端末装置の一例として機能する。また、行き先管理サーバ２は、管理サーバの一例として機能する。また、個人ＩＣカード８は、ユーザ識別部材の一例として機能する。また、施設ＩＣカード８は、施設識別部材の一例として機能する。また、時間ＩＣカード８は、時刻識別部材の一例として機能する。また、目的ＩＣカード８は、目的識別部材の一例として機能する。
【０１１６】
また、ラベル印刷装置６は、ＩＣタグ通信装置の一例として機能する。また、ＣＰＵ３１及びタイマ４０は、日時情報取得手段の一例を構成する。また、ＣＰＵ３１、ＲＡＭ３２、ＲＯＭ３３及び通信装置３５は、予約確認情報送信手段、行き先登録情報送信手段、予約登録情報送信手段の一例を構成する。また、ハードディスク装置１９は、施設予約情報記憶手段の一例として機能する。
【０１１７】
また、ＣＰＵ１１は、施設予約判定手段、行き先記憶制御手段、施設予約記憶制御手段の一例として機能する。また、ＣＰＵ１１、ＲＡＭ１２、ＲＯＭ１３及び通信装置１５は、予約有り情報送信手段、予約無し情報送信手段の一例を構成する。また、ＣＰＵ３１及び温度センサ４５は、気温情報取得手段の一例を構成する。また、ＣＰＵ３１は、サービス決定手段、目的取得手段の一例として機能する。また、ディスプレイ４３は、報知手段の一例として機能する。
【０１１８】
以上詳細に説明した通り、本実施形態に係る行き先管理システム１では、ユーザは、個人ＩＣカード８と行き先を表す施設ＩＣカード８とをラベル印刷装置６の上側にかざすことによって、当該施設ＩＣカード８のＩＣタグ８８に記憶された施設ＩＤに対応する施設の予約が施設予約データテーブル９１に記憶されている場合、つまり、施設の予約がされている場合には、当該施設ＩＣカード８に対応する施設等の行き先情報が、行き先管理サーバ２の行き先データテーブル９２に自動的に記憶される。
【０１１９】
これにより、ユーザは、個人ＩＣカード８と行き先を表す施設ＩＣカード８とをラベル印刷装置６の上側にかざすことによって、氏名と、行き先としての会議室等の施設と、この施設の使用目的と、現在時刻と飲物をユーザの行き先情報として行き先管理サーバ２に簡易に登録することが可能となる。
【０１２０】
また、ユーザは、個人ＩＣカード８と行き先を表す施設ＩＣカード８とをラベル印刷装置６の上側にかざすことによって、当該施設ＩＣカード８のＩＣタグ８８に記憶された施設ＩＤに対応する施設の予約が、行き先管理サーバ２の施設予約データテーブル９１に記憶されていない場合、つまり、当該施設の予約がされていない場合には、施設予約用ダイアログボックスがディスプレイ４３に表示される。
【０１２１】
これにより、ユーザは行き先として選んだ施設ＩＣカード８に対応する施設の予約がされていないことを容易に確認することができる。また、ユーザは、目的ＩＣカード８と時間ＩＣカード８とをラベル印刷装置６の上側にかざすことによって、施設予約用ダイアログボックスを介して施設の使用目的、使用開始時間、使用終了時間とを簡易に入力することが可能となる。
【０１２２】
また、ユーザは、目的ＩＣカード８と時間ＩＣカード８とをラベル印刷装置６の上側にかざすことによって、施設予約データテーブル９１の「場所」、「開始時間」、「終了時間」、「目的」、「個人」に、当該「施設ＩＤ」「使用開始時間」、「使用終了時間」、「使用目的」及び「個人ＩＤ」を順次登録して、当該施設の予約を簡易に行うことが可能となる。
【０１２３】
また、ユーザは、目的ＩＣカード８と時間ＩＣカード８とをラベル印刷装置６の上側にかざすことによって、行き先データテーブル９２の「個人」、「時間」、「場所」、「目的」及び「飲物」に、個人ＩＤに対応する「氏名」、「現在時刻」、施設ＩＤに対応する「施設名」、「使用目的」及び「飲物」を順次登録して、行き先の予定を行き先管理サーバ２に簡易に登録することが可能となる。
【０１２４】
更に、ユーザが個人ＩＣカード８をラベル印刷装置６の上側にかざすことによって、当該個人ＩＣカード８のＩＣタグ８８に記憶された飲物履歴情報（例えば、コーヒー１０回、紅茶３回、日本茶２回等である。）と気温（例えば、約２６℃である。）に基づいてユーザの注文する飲物（例えば、アイスコーヒー等である。）が決定され、自動的に行き先データテーブル９２に記憶されて、手配される。これにより、ユーザは、個人ＩＣカード８をラベル印刷装置６の上側にかざすことによって、希望する飲物をキーボード等で手入力する必要が無く、自動的に受け取ることが可能となる。
【０１２５】
尚、本発明は前記実施形態に限定されることはなく、本発明の要旨を逸脱しない範囲内で種々の改良、変形が可能であることは勿論である。
【０１２６】
例えば、個人ＩＣカード８のＩＣタグ８８に記憶されている飲物履歴情報には、各飲物の種類毎に、飲んだ回数と共に最も最近に飲んだ日時を記憶するようにしてもよい。そして、上記Ｓ１７及びＳ２７において、上記Ｓ１２でＲＡＭ３２に記憶した飲物履歴情報から、最も最近に飲んだ飲物を抽出して、注文する飲物として決定するようにしてもよい。また、上記Ｓ１６でＲＡＭ３２に記憶した気温に基づいて注文する飲物をホットにするかアイスにするか、つまり、熱い飲物（例えば、ホットティーである。）にするか冷たい飲物（例えば、アイスティーである。）にするかを決定してＲＡＭ３２に記憶するようにしてもよい。
【図面の簡単な説明】
【０１２７】
【図１】本実施形態に係る行き先管理システムの概略構成を示す図である。
【図２】行き先管理サーバの電気的構成を示すブロック図である。
【図３】予約用ユーザ端末装置の電気的構成を示すブロック図である。
【図４】ラベル印刷装置の全体構成を表す斜視図である。
【図５】ラベル印刷装置の電気的構成を示すブロック図である。
【図６】行き先管理サーバの施設予約情報記憶エリアに格納される施設予約データテーブルの一例を示す図である。
【図７】行き先管理サーバの行き先情報記憶エリアに格納される行き先データテーブルの一例を示す図である。
【図８】予約用ユーザ端末装置のＣＰＵと、行き先管理サーバのＣＰＵとによって実行される「行き先情報及び施設予約情報の登録・更新処理」を示すフローチャートである。
【図９】予約用ユーザ端末装置のＣＰＵと、行き先管理サーバのＣＰＵとによって実行される「行き先情報及び施設予約情報の登録・更新処理」を示すフローチャートである。
【図１０】自動登録を行うか否かをユーザに問い合わせる質問画面の一例を示す図である。
【図１１】各種ＩＣカードの一例を示す図である。
【図１２】個人ＩＣカードのＩＣタグに記憶される飲物履歴情報の一例を示す図である。
【図１３】行き先情報の登録確認時に表示される確認画面の一例を示す図である。
【図１４】施設予約用ダイアログボックスの一例を示す図である。
【図１５】施設予約情報の登録確認時に表示される施設予約用ダイアログボックスの一例を示す図である。
【図１６】行き先情報の確認時に表示される確認画面の一例を示す図である。
【符号の説明】
【０１２８】
１        行き先管理システム
２        行き先管理サーバ
３        管理者用ユーザ端末装置
４        予約用ユーザ端末装置
６        ラベル印刷装置
８        ＩＣカード
９        ネットワーク
１１、３１      ＣＰＵ
１２、３２      ＲＡＭ
１３、３３      ＲＯＭ
１４、３５      通信装置
１９、３９      ハードディスク装置
８８      ＩＣタグ
９１      施設予約データテーブル
９２      行き先データテーブル
１０４、１１２、１１５    登録ボタン
１０６    施設予約用ダイアログボックス
【図１】
2010055457.tif 000003
【図２】
2010055457.tif 000004
【図３】
2010055457.tif 000005
【図４】
2010055457.tif 000006
【図５】
2010055457.tif 000007
【図６】
2010055457.tif 000008
【図７】
2010055457.tif 000009
【図８】
2010055457.tif 000010
【図９】
2010055457.tif 000011
【図１０】
2010055457.tif 000012
【図１１】
2010055457.tif 000013
【図１２】
2010055457.tif 000014
【図１３】
2010055457.tif 000015
【図１４】
2010055457.tif 000016
【図１５】
2010055457.tif 000017
【図１６】
2010055457.tif 000018